(57)【要約】【課題】省スペースで且つ同じスペースを繰り返し利用する事も容易であり、更に、合葬であっても他人の遺骨と混ざり合うことを完全に排除することができる合葬用墓を提供する。  【解決手段】  複数の筒状体１０４を個別に抜き取り交換可能な状態で束ねて納骨部１０２を構成し、筒状体１０４の下端の少なくとも一部が開口されると共に当該開口部分１０４ｂが地面に接するように若しくは地中に埋まるように配置する。【選択図】図１
2014152520.tif 000002
【特許請求の範囲】
【請求項１】
複数の筒状体を個別に抜き取り交換可能な状態で束ねて納骨部を構成し、
前記筒状体の下端の少なくとも一部が開口されると共に当該開口部分が地面に接するように若しくは地中に埋まるように配置されている
ことを特徴とする合葬用墓。
【請求項２】
請求項１において、
前記筒状体の上端の少なくとも一部が開口され、雨水等の水分が浸入可能とされている
ことを特徴とする合葬用墓。
【請求項３】
請求項２において、
前記筒状体の上端側の開口部分は、水分は通過できるが粉骨は通過することができない性質を備えたカバーが備わっている
ことを特徴とする合葬用墓。
【発明の詳細な説明】
【技術分野】
【０００１】
本発明は、墓地、特に詳しくは合葬用墓に関する。
【背景技術】
【０００２】
現在、故人を埋葬する場合、条例等により事実上土葬を行うことはできず、火葬後に遺骨を墓地に納めて埋葬する方法が一般的となっている。
【０００３】
遺骨は、家単位で設けられている墓地に納骨されるのが通常であるが、諸般の理由から無縁仏となった遺骨や、経済的理由等により個別の墓を設けることが困難である者も少なくなく、そのような場合、一つの墓の中に複数人の遺骨を纏めて納骨する合葬（合祀と表現する場合もある。）が行われている現状がある。
【０００４】
しかしながら、このような合葬（合祀）による場合、納骨後は他人の遺骨と区別することができなくなるし、何より他人の遺骨と一緒になってしまうことに対して嫌悪感を抱く場合もある。このような問題点を解決すべく、合葬（合祀）であっても他人の遺骨と明確に納骨スペースが異なる合葬用墓も複数提案されている（特許文献１及び２）。
【０００５】
特許文献１の合葬用墓においては、供養塔の周りに個人毎に仕切られた納骨室を備え、更にその納骨室は上下二段に仕切られており、例えば夫婦単位で納骨室を利用することができるとされている。
【０００６】
また特許文献２の合葬用墓においては、地面を境界金具で区画し、その区画された地面の略中心付近に遺骨（ここでは粉骨）を埋めることで納骨がなされている。更に契約期間経過後は、区画内の土全体をそっくり交換することで、別人の遺骨を埋葬することも可能とされている。
【先行技術文献】
【特許文献】
【０００７】
【特許文献１】特開２００９−２３５６９７号公報
【特許文献２】特開２０１２−７２６１４号公報
【発明の概要】
【発明が解決しようとする課題】
【０００８】
しかしながら、特許文献１の合葬用墓の場合、底面もコンクリートで仕切られているので、遺骨が自然に還ることができない。またそれ故、同じ場所を（例えば他人が）繰り返し使用する事も不可能である。
【０００９】
また、特許文献２の合葬用墓の場合、遺骨（粉骨）を直接区画内の土の中に埋めているので、時間の経過と共に遺骨は土に還ることが可能であり、また区画内の土全体を入れ換えることで同じ区画を繰り返し使用する事も可能であるが、スペース効率という観点からは無駄も多く、更に土の入れ換え作業も煩雑である。
【００１０】
そこで本発明は、省スペースで且つ同じスペースを繰り返し利用する事も容易であり、更に、合葬であっても他人の遺骨と混ざり合うことを完全に排除することができる合葬用墓を提供する事をその課題としている。
【課題を解決するための手段】
【００１１】
上記課題を解決するべく、本願発明は、複数の筒状体を個別に抜き取り交換可能な状態で束ねて納骨部を構成し、前記筒状体の下端の少なくとも一部が開口されると共に当該開口部分が地面に接するように若しくは地中に埋まるように配置されていることを特徴とする。
【００１２】
このように、納骨部を複数の筒状体で構成していることから、特定の筒状体に特定の個人の遺骨（望ましくは粉骨）を収納することで、他人の遺骨と混ざり合うことを完全に防止することができる。また、筒状体の下端部は少なくとも一部が開口しており且つその開口部分が地面に接する若しくは地中に埋まるように配置されているので、時間の経過と共に筒状体に納められた遺骨は土に還ることが可能となっている。更に、筒状体は個別に抜き取り交換可能な状態で束ねられているので、一定時間が経過して遺骨が土に還った後は、特定の筒状体を引き抜いて新しい筒状体に交換することによって、他人が使用した筒状体を使用することなく、まさに未使用と同じ状態で繰り返しの使用が可能となっている。なお、「交換可能に束ねて・・・」とは、必ずしも筒状体同士が密着している必要はなく、例えば、抜き取り交換する際に使用する工具等が入る程度の隙間が形成されている場合も含む概念である。
【００１３】
また、前記筒状体の上端の少なくとも一部が開口され、雨水等の水分が浸入可能とされていることを特徴とする。
【００１４】
このように敢えて雨水等の水分が侵入可能とすることによって、遺骨が水分を含み易くなり、以て遺骨が速やかに土に還る事を促進させる事ができる。
【００１５】
また、前記筒状体の上端側の開口部分は、水分は通過できるが粉骨は通過することができない性質を備えたカバーが備わっていることを特徴とする。
【００１６】
このように構成することによって、雨水等の侵入を受け入れつつ、風が巻き込む等によって納めた粉骨が筒状体の外に飛散することを防止することができる。
【発明の効果】
【００１７】
本発明を適用することで、省スペースで且つ同じスペースを繰り返し利用する事も容易であり、更に、合葬であっても他人の遺骨と混ざり合うことを完全に排除することができる合葬用墓の提供が可能となる。
【図面の簡単な説明】
【００１８】
【図１】本発明に係る合葬用墓の全体図である。
【図２】本発明に係る合葬用墓の納骨部の斜視図である。
【図３】（ａ）は筒状体の断面図、（ｂ）は筒状体の底面図、（ｃ）は他の実施例の筒状体の底面図である。
【発明を実施するための形態】
【００１９】
以下、添付図面を参照しつつ、本発明の実施形態の一例である合葬用墓１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２０】
〈合葬用墓の構成〉
図１に示しているように、本発明に係る合葬用墓１００は、複数の筒状体１０４を束ねて構成した納骨部１０２を備えている。本実施形態ではこの納骨部１０２は略全体が土中に埋まるように配置され、納骨部１０２の上方に墓石１２０が配置されている。なお、納骨部１０２は必ずしも土中に埋めなくともよく、例えば、地面の上に載置するような構成であってもよい。また、上方に墓石１２０を配置するか否かは自由である。
【００２１】
図２に示しているように、納骨部１０２は、外側が枠体１０３であり、当該枠体１０３の中に、遺骨（粉骨）１１２を収容することができる筒状体１０４が複数整列するように配置構成されている。本実施形態においては、筒状体１０４は、平面視略正方形の角筒体として構成され、更にその両端に底や蓋は設けられずに開口している。即ち、筒状体１０４は、下端側開口部分１０４ｂから上端側開口部分１０４ｃに至るまで全体に渡って中空部１０４ａが形成されている。即ち、筒状体１０４の下端側開口部分１０４が土中に埋まるように構成されている。なお、納骨部１０２を地面上に載置するような構成を採用する場合は、筒状体１０４の下端側開口部分１０４ｂが地面に接するような構成となっていればよい。
【００２２】
また、枠体１０３の中に収まっている複数の筒状体１０４は、個別に抜き取って別の筒状体１０４と入れ換える事が可能となっている。なお、ここでの筒状体１０４は、図面上は平面視略正方形の中空の形状とされているが、これ以外の形状、例えば平面視、円形、楕円形、長方形、三角形、五角形、六角形・・・等々様々な形状とすることを妨げるものではない。また、図面で示している筒状体１０４はその全体が細長く構成されているが、直径と長さの比率が図面に示したものに限定されるものではない。納める遺骨の量や、設置面積等に応じて適宜変更可能である。
【００２３】
また、各筒状体１０４の上端側開口部分１０４ｃには、雨水等の水分は通過させることができるが、収容する遺骨（粉骨）１１２は通過することができない性質を備えたカバー１１０が備わっている。なおこのカバー１１０は、個々の筒状体１０４の各々に個別に独立して設けられていても良いし、納骨部１０２全体に渡って一つのカバーが備わるような構成であってもよい。
【００２４】
〈合葬用墓の作用・機能〉
火葬された遺骨は、望ましくは粉砕されて粉骨とされた上で、納骨部１０２を構成する複数の筒状体１０４の中の特定の筒状体１０４の中に納められる。本発明にかかる合葬用墓１００においては、特定の故人の遺骨は特定の筒状体１０４に納められるので、筒状体１０４の存在により、他人の遺骨と混ざり合うことを完全に排除している。
【００２５】
また、筒状体１０４の下端は開口されていて、この開口部分１０４ｂは土の中に埋まるように（若しくは地面に接するように）配置されているので、時間の経過と共にバクテリア等が当該開口部分１０４ｂから遺骨側に侵入し、遺骨を分解する。即ち、時間の経過と共に遺骨は土に還る事が可能となっている。更に、筒状体１０４の上端側も開口されていて、この上端側に敢えて雨水等が侵入できるように構成しておけば、遺骨が水分を含み易くなり、バクテリアによる遺骨の分解が促進される。
【００２６】
また、筒状体１０４の上端側開口部分１０４ｃを覆うように、水分は通過させるが粉骨は通過出来ない性質を備えたカバー１１０を備えているので、例えば強風が吹いたような場合でも、収納している遺骨（特に粉骨）が飛散してしまうことも無い。
【００２７】
また、本発明では、複数配置された細長い筒状体１０４の各々に特定人の遺骨を収納することができ、且つ、これら複数の筒状体１０４は束ねられて纏まりよく構成されているので、平面的に極めて省スペースである。
【００２８】
また、時間が経過して収納した遺骨が全て土に還った後など、空いたスペース（特定の筒状体１０４の中空部１０４ａ）に別人の遺骨を収納して再使用することも可能であるが、この際その特定の筒状体１０４を抜き取って新しい筒状体１０４に交換するだけで、未使用状態と同じ状態で納骨することが可能である。
【００２９】
〈その他の構成例〉
なお、筒状体１０４の下端側開口部分１０４ｂは、少なくとも一部が開口していれば良い。具体的には、図３（ｂ）に示しているように、筒状体１０４の下端全体が（中空部１０４ａと同じ大きさに）開口して下端側開口部分１０４ｂを構成していてもよいがこれに限らず、例えば図３（ｃ）として示しているように、中空部１０４ａに比べると小さな穴が単数又は複数設けられて下端側開口部分１０４ａを構成していてもよい。更に、図面上は示していないが、筒状体１０４の下端近傍の側面に開口部分を構成することも可能である。特に隣り合う筒状体が密着しておらず隙間が形成されている場合に有効である。
【００３０】
なお、本発明に係る合葬用墓は、人のみならずペット等の愛玩動物用をはじめとした広く動物一般の墓として適用することが当然可能である。
【符号の説明】
【００３１】
１００・・・合葬用墓
１０２・・・納骨部
１０３・・・枠体
１０４・・・筒状体
１０４ａ・・・中空部
１０４ｂ・・・下端側開口部分
１０４ｃ・・・上端側開口部分
１１０・・・カバー
１１２・・・粉骨（遺骨）
１２０・・・墓石
【図１】
2014152520.tif 000003
【図２】
2014152520.tif 000004
【図３】
2014152520.tif 000005